【手続補正書】
【提出日】平成18年2月23日(2006.2.23)
【手続補正１】
【補正対象書類名】明細書
【補正対象項目名】特許請求の範囲
【補正方法】変更
【補正の内容】
【特許請求の範囲】
【請求項１】  以下の段階を含む、生物標本の分析を実施するためのアレイを製造するための方法：
分析対象の生物学的ドナー材料から細長いドナー試料を獲得する段階、
分析対象のアレイ面に対して横方向に延在する細長い容器のアレイを備えるレシピエント部材を提供する段階、および
位置が維持され記録されているレシピエント部材の所定の割り当てた位置の容器にドナー標本を配置する段階。
【請求項２】  レシピエント部材を提供する段階が、部材に事前に形成された細長い容器のアレイを提供する段階を含む、請求項1記載の方法。
【請求項３】  各切片が割り当てた位置を維持する複数のドナー標本を含有する複数の切片をレシピエントアレイから獲得する段階をさらに含む、請求項2記載の方法。
【請求項４】  細長い標本の断面サイズおよび形状に相補的な断面サイズおよび形状を有する容器にドナー標本を配置する、請求項2記載の方法。
【請求項５】  事前に形成された細長い容器がレシピエント部材の円筒形の穴であり、各標本がドナー材料から円筒形の組織標本をくりぬくことによって得られる、請求項2記載の方法。
【請求項６】  各細長い容器の直径が、容器に配置される標本の直径と実質的に同一である、請求項5記載の方法。
【請求項７】  臨床的もしくは実験的特徴またはその両方をレシピエントアレイの各割り付けた位置と関連させる段階をさらに含み、臨床的実験的特徴がアレイから得られる情報以外である、請求項2記載の方法。
【請求項８】  生物試料が組織標本または細胞調製物である、請求項2記載の方法。
【請求項９】  容器が、容器の隣接する端部間に約0.05 mmの間隔を置いて配置される実質的に矩形のアレイ形態である、請求項2記載の方法。
【請求項１０】  少なくとも数百のドナー標本が実質的に矩形のアレイに間隔をおいて配置される、請求項2記載の方法。
【請求項１１】  少なくとも約372個のドナー標本が実質的に矩形のアレイに間隔をおいて配置される、請求項10記載の方法。
【請求項１２】  容器が、座標位置決定システムによって実質的に矩形のアレイ形態に形成される、請求項2記載の方法。
【請求項１３】  ドナー標本が座標位置決定システムによって割り当てられた容器に配置される、請求項12記載の方法。
【請求項１４】  各ドナー標本に関する情報が座標位置決定システムを参照して記録される、請求項13記載の方法。
【請求項１５】  各ドナー標本に関する情報が、生物標本を獲得した被験者に関する臨床情報を含む、請求項14記載の方法。
【請求項１６】  請求項2記載の方法によって形成されるアレイ。
【請求項１７】  請求項3記載の方法によって形成されるレシピエントアレイの切片。
【請求項１８】  以下の段階を含む、組織標本のアレイを調製する方法：
包埋用媒体に包埋された生物標本を含む1つ以上のドナーブロックを提供する段階、
ドナーブロックの1つ以上において生物試料から1つ以上のドナー試料コアをくりぬく段階と、
レシピエント部材から容器コアをくりぬいて、システムによって決定された座標位置に事前に成形された容器のアレイを形成する段階、および
割り当てた位置が維持されるように、アレイの割り当てた位置の事前に成形された相補的な容器に1つ以上のドナー試料コアを配置する段階。
【請求項１９】  ドナー試料コアに対して横方向にレシピエント包埋用媒体を切片化してアレイ中にドナー試料コアの断面を得ると同時に、連続した断面にアレイの割り当てた位置を維持する段階をさらに含む、請求項18記載の方法。
【請求項２０】  ドナー試料に関する臨床的もしくは実験的情報または両方を含む各ドナー試料の同定を自動的に記録する段階をさらに含む、請求項18記載の方法。
【請求項２１】  ドナーブロックの上方に薄い組織切片を配列して、ドナー試料コアを採取した関心のある領域を同定する段階をさらに含む、請求項18記載の方法。
【請求項２２】  円筒形のドナー試料コアが、約0.1mm 〜約4mmの直径を有する、請求項18記載の方法。
【請求項２３】  自動システムが、実質的に等しい間隔をおいて配置された、直径が約4mmより小さい容器を形成する、請求項22記載の方法。
【請求項２４】  実質的に等しい間隔をおいて配置された容器が自動座標位置決定システムで位置づけされる、請求項23記載の方法。
【請求項２５】  請求項10記載の方法によって得られるドナー試料コアの断面。
【請求項２６】  生物材料アレイの切片を平行分析する標本を調製する装置であって、
ドナー位置に組織ドナーブロックを保持するためのドナーブロックホルダーと、
ドナーブロックがドナー位置にあるとき、組織ドナーブロックから組織標本をくりぬくために、ホルダーに対して位置づけられた往復穴あけ具と、
レシピエント位置にレシピエントブロックを保持するためのレシピエントブロックホルダーとを備え、
レシピエントブロックは容器のアレイを備え、容器のアレイの各々は、事前に選択された位置の容器に往復穴あけ具からの組織標本を搬送するために、往復穴あけ具に対して事前に選択された位置に位置づけ可能である装置。
【請求項２７】  ホルダーが、一定の増分ずつ移動して連続的な容器および往復穴あけ具を整列することができるx-y位置決定装置を備える、請求項26記載の装置。
【請求項２８】  往復穴あけ具内に導入されて、組織標本を穴あけ具から、穴あけ具に整列された容器の1つに排出するために位置づけられたスタイレットをさらに備える、請求項26記載の装置。
【請求項２９】  基準スライド内の関心のある構造物をドナーブロック内の対応する組織標本領域に整列させるために、ドナーブロックの上方に基準スライドを位置づけるための位置決定装置をさらに備える、請求項26記載の装置。
【請求項３０】  レシピエントブロックに対して位置づけることができ、レシピエントブロックに容器のアレイをくりぬく個別の往復穴あけ具をさらに備え、個別の往復穴あけ具が組織ドナーブロックから標本をくりぬくために位置づけられた往復穴あけ具とは異なる、請求項26記載の装置。
【請求項３１】  レシピエントブロック中の容器の座標位置を記録するための記録装置をさらに備える、請求項26記載の装置。
【請求項３２】  記録装置が、容器の位置を記録し、各容器に配置される組織標本の同定を記録するためのコンピュータ実施式システムである、請求項31記載の装置。
【請求項３３】  同定が、生物材料の切片の分析によって得られない生物材料に関する情報を含む、請求項32記載の装置。
【請求項３４】  レシピエントブロックを、異なる分析に供することができる切片に切片化するための切片化装置をさらに備える、請求項26記載の装置。
【請求項３５】  切片自体の分析によって得られない生物材料の情報に関連して、異なる分析の結果を記録するための記録装置をさらに備える、請求項34記載の装置。
【請求項３６】  ブロックが、所定の割り付けられた位置に間隔をおいて配置された生物標本の矩形のアレイを含む、請求項26記載のレシピエントブロック。
【請求項３７】  請求項34記載の1つ以上の切片。
【請求項３８】  連続分析のための生物標本のアレイを作製するための自動システムであって、
異なる生物標本を所定の位置に配置することができる間隔をおいて配置された複数の細長い容器を備えるレシピエントアレイと、
アレイの割り付けられた座標位置の異なる容器に連続的な生物標本を導入するための往復穴あけ具と、
割り付けられた座標位置の異なる容器の各々における生物試料を識別するための記録装置とを備える自動システム。
【請求項３９】  生物標本に関する臨床的もしくは実験的情報または両方を記録するための記録装置をさらに備える、請求項38記載の自動システム。
【請求項４０】  臨床的もしくは実験的情報または両方と、レシピエントアレイの連続的な切片について実施した連続分析とを相関させるための相関装置をさらに備える、請求項39記載の自動システム。
【請求項４１】  生物標本を提供するドナーブロックをさらに備える、請求項38記載のシステム。
【請求項４２】  各連続的な生物標本を各容器に導入した後に、レシピエントアレイまたは搬送機序を割り当てた座標位置に漸増的に移動する漸増的位置決定装置をさらに備える、請求項38記載のシステム。
【請求項４３】  搬送機序が、ドナー容器の組織標本をくりぬく穴あけ具である、請求項38記載のシステム。
【請求項４４】  レシピエントアレイに細長い容器をくりぬき、自動的にレシピエントアレイまたは穴あけ具を一定の増分ずつ移動させレシピエントアレイの新たな座標位置に穴あけ具を整列させ、新たな位置に別の細長い容器をくりぬくことによってレシピエントアレイが形成される、請求項41記載のシステム。
【請求項４５】  搬送機序が、各生物標本をレシピエントアレイの記録された位置の容器に搬送する、請求項44記載のシステム。
【請求項４６】  生物材料アレイの連続的な切片を平行分析するためのコンピュータ実施式システムであって、
レシピエントブロックアレイの位置に対応する複数の座標にトレイを移動するx-y位置決定台と、
位置決定台上でレシピエントブロックから容器コアをくりぬくために位置づけられた容器用穴あけ具と、
位置決定台上でドナーブロックからドナー標本をくりぬくために位置づけられたドナー用穴あけ具であって、容器コアがドナー標本の直径と実質的に同じ直径を有するドナー用穴あけ具と、
容器コアがレシピエントブロックからくりぬかれた後に容器用穴あけ具の内容物を排出するため、およびドナー標本がドナーブロックからくりぬかれた後にレシピエントブロックアレイの容器内にドナー用穴あけ具の内容物を排出するために、ドナー用穴あけ具とレシピエント用穴あけ具に選択的に別の方法で整列されたスタイレットと、
レシピエントアレイの容器内の生物材料の同定を記録するための記録装置とを備えるシステム。
【請求項４７】  ドナーブロックを観察し、ドナーブロックに整列させた基準スライドに関心のある構造物を配置するための顕微鏡をさらに備える、請求項46記載のコンピュータ実施式システム。  
【請求項４８】  レシピエントブロックから容器コアをくりぬき、スタイレットで容器用穴あけ具から容器コアを排出し、次いで、ドナーブロックからドナー標本をくりぬき、レシピエントブロックの選択した容器にドナー用穴あけ具を整列させ、ドナー標本を選択した容器内に排出する、請求項46記載のコンピュータ実施式システム。
【請求項４９】  生物組織の同定が容器の各々の生物材料についての臨床的もしくは実験的情報または両方を含む、請求項46記載のコンピュータ実施式システム。
【請求項５０】  生物材料がブロックに包埋された腫瘍である、請求項49記載のコンピュータ実施式システム。